(57)【特許請求の範囲】
【請求項１】
高速伝送可能な線路をループ状に構成してなり、伝送単位とされる伝送路を多重した多重化伝送路が伝送されるネットワークであって、
前記ループ状に構成されている線路に挿入されて、前記線路を伝送されてきた前記多重化伝送路の上り信号を交換局に渡すと共に、交換局から受けた下り信号を前記多重化伝送路に多重して右回りの経路と左回りの経路との両方の経路により前記線路に送出するネットワークセンタと、
前記ループ状に構成されている線路に挿入されて、前記線路を伝送されてきた前記多重化伝送路から特定の伝送路を抽出すると共に、当該特定の伝送路を前記多重化伝送路に多重して前記線路に送出する複数のネットワーク装置と、
該ネットワーク装置に接続されて、該ネットワーク装置により抽出された前記特定の伝送路の下り信号を受けて移動局に向けて送信すると共に、移動局から受信した上り信号を前記特定の伝送路の信号として、前記ネットワーク装置に送る基地局とを備え、
前記ネットワーク装置は前記ネットワークセンタに、右回りの経路と左回りの経路との両方の経路により、前記多重化伝送路を伝送しており、
複数の前記ネットワーク装置毎に割り当てられている伝送路は、右回りの経路の伝送路と左回りの経路の伝送路とでは異なる伝送路が割り当てられており、前記各ネットワーク装置は、前記線路を伝送されてきた左回りの経路の前記多重化伝送路から左回りように割り当てられた特定の伝送路を抽出すると共に、当該特定の伝送路を左回りの経路の前記多重化伝送路に多重して前記線路に送出し、さらに、前記線路を伝送されてきた右回りの経路の前記多重化伝送路から右回りように割り当てられた特定の伝送路を抽出すると共に、当該特定の伝送路を右回りの経路の前記多重化伝送路に多重して前記線路に送出しており、
前記ネットワークセンタには、
前記右回りの経路と左回りの経路により伝送されてきた２つの多重化伝送路において、前記伝送路毎に良好な伝送状態の伝送路を選択して出力する選択手段と、
前記右回りの経路と左回りの経路との経路長の差に基づく前記多重化伝送路の遅延時間を補正して、前記右回りの経路と左回りの経路で送られてきた伝送路のタイミングを揃える遅延補正手段とが備えられており、
前記ネットワーク装置の間を接続している線路、あるいは、前記ネットワーク装置と前記ネットワークセンタとを接続している線路の障害をネットワークセンタと各々のネットワーク装置とのループバック試験を順次行うことにより線路が断とされた区間を検出して、その検出結果に基づいて前記ネットワークセンタに備えられている前記選択手段が、障害の発生していない経路で伝送されてきた伝送路を選択するようにしたことを特徴とするネットワーク。
【発明の詳細な説明】
【０００１】
【発明の属する技術分野】
本発明は、ループ状に構成された高速伝送可能な線路からなるネットワーク、ネットワークセンタおよびネットワーク装置に関する。
【０００２】
【従来の技術】
ネットワークの構成は、用いられる線路の媒体によって各種の形態とされている。例えば、光ファイバを線路として用いるネットワークは次の３種類に分類することができる。
１．シングルスター型
シングルスター型の構成は、設備センタと各ユーザ間に１心、又は２心の光ファイバケーブルを１対１対応にてスター状に布設し、各ユーザ宅に光アクセスシステムを設置する形態であり、シンプルな構成となる。
２．アクティブダブルスター型
アクティブダブルスター型の構成は、設備センタとユーザ間に光／電気変換機能、多重分離機能を有する能動的な装置（アクティブ素子）を設置した形態であり、アクティブ素子からユーザ間の配線はメタリックケーブル、または同軸ケーブルとなる。光／電気変換機能（アクティブ素子）及び光ファイバの複数ユーザでの共有化が行えるため、ネットワークの構築が低コストにできるが、各ユーザ当りの帯域に制限が生じる。また、アクティブ装置を運用するための設置環境の整備や駆動用電源の確保及びバックアップ用バッテリーなどが必要となる。
３．パッシブダブルスター型
パッシブダブルスター型の構成は、前述したアクティブダブルスター型とほぼ同じ構成であるが、光／電気変換及び多重伝送を行うアクティブ素子の代わりに光スプリッタなどの光受動素子（パッシブ素子）を設け、光信号の分岐／合光を行うようにしている。設備センタからパッシブ素子間はユーザ信号を多重した光伝送路で構成され、パッシブ素子からユーザへはシングルスター型と同じく各ユーザごとに光ファイバを布設する。この構成は、設備センタ側の加入者対応部と光ファイバの共用化及びアクティブ素子を使用しないことにより経済的なネットワークの構築が可能となる。
【０００３】
【発明が解決しようとする課題】
ここで、移動電話網における現行のネットワーク構成の一例を図６に示す。
図６において、在圏する移動局の通信制御を行う基地局ＢＳ３および基地局ＢＳ４は電話局１０４に収容されており、基地局ＢＳ２は電話局１０３に収容され、基地局ＢＳ１および基地局ＢＳ８は電話局１０２に収容されている。さらに、基地局ＢＳ５および基地局ＢＳ６は電話局１０６に収容されており、基地局ＢＳ７は電話局１０５に収容されている。そして、電話局１０４は電話局１０３に接続されると共に、電話局１０６は電話局１０５に接続されて、電話局１０３および電話局１０５は電話局１０２に接続されている。さらに、電話局１０２はネットワークの通信制御を行うネットワークセンタ１０１に接続されている。なお、電話局間の線路は光ファイバで構成されており、電話局と基地局間の線路は光ファイバあるいはメタリック／同軸により構成されている。このようなネットワークにおいて、光ファイバからなる線路の伝送速度は高速とすることができるが、この高速伝送速度の線路を有効に活用していないという問題点があった。また、例えば、電話局１０４と基地局ＢＳ３間の線路に障害が発生すると、基地局ＢＳ３とネットワークセンタ１０１との通信が不能になってしまうという問題点があった。さらに、例えば、電話局１０５と電話局１０６間の線路に障害が発生した場合には、基地局ＢＳ５および基地局ＢＳ６とネットワークセンタ１０１との通信が不能になってしまうという問題点があった。
【０００４】
そこで、本発明は、ネットワークを構成している高速伝送速度の線路を有効に活用して、ネットワークを構成している線路に障害が生じても通信が不能となることを防止することのできるネットワーク、ネットワークセンタおよびネットワーク装置を提供することを目的としている。
【０００５】
【課題を解決するための手段】
上記目的を達成するために、本発明のネットワークは、高速伝送可能な線路をループ状に構成してなり、伝送単位とされる伝送路を多重した多重化伝送路が伝送されるネットワークであって、前記ループ状に構成されている線路に挿入されて、前記線路を伝送されてきた前記多重化伝送路の上り信号を交換局に渡すと共に、交換局から受けた下り信号を前記多重化伝送路に多重して右回りの経路と左回りの経路との両方の経路により前記線路に送出するネットワークセンタと、前記ループ状に構成されている線路に挿入されて、前記線路を伝送されてきた前記多重化伝送路から特定の伝送路を抽出すると共に、当該特定の伝送路を前記多重化伝送路に多重して前記線路に送出する複数のネットワーク装置と、該ネットワーク装置に接続されて、該ネットワーク装置により抽出された前記特定の伝送路の下り信号を受けて移動局に向けて送信すると共に、移動局から受信した上り信号を前記特定の伝送路の信号として、前記ネットワーク装置に送る基地局とを備え、前記ネットワーク装置は前記ネットワークセンタに、右回りの経路と左回りの経路との両方の経路により、前記多重化伝送路を伝送しており、複数の前記ネットワーク装置毎に割り当てられている伝送路は、右回りの経路の伝送路と左回りの経路の伝送路とでは異なる伝送路が割り当てられており、前記各ネットワーク装置は、前記線路を伝送されてきた左回りの経路の前記多重化伝送路から左回りように割り当てられた特定の伝送路を抽出すると共に、当該特定の伝送路を左回りの経路の前記多重化伝送路に多重して前記線路に送出し、さらに、前記線路を伝送されてきた右回りの経路の前記多重化伝送路から右回りように割り当てられた特定の伝送路を抽出すると共に、当該特定の伝送路を右回りの経路の前記多重化伝送路に多重して前記線路に送出しており、前記ネットワークセンタには、前記右回りの経路と左回りの経路により伝送されてきた２つの多重化伝送路において、前記伝送路毎に良好な伝送状態の伝送路を選択して出力する選択手段と、前記右回りの経路と左回りの経路との経路長の差に基づく前記多重化伝送路の遅延時間を補正して、前記右回りの経路と左回りの経路で送られてきた伝送路のタイミングを揃える遅延補正手段とが備えられており、前記ネットワーク装置の間を接続している線路、あるいは、前記ネットワーク装置と前記ネットワークセンタとを接続している線路の障害をネットワークセンタと各々のネットワーク装置とのループバック試験を順次行うことにより線路が断とされた区間を検出して、その検出結果に基づいて前記ネットワークセンタに備えられている前記選択手段が、障害の発生していない経路で伝送されてきた伝送路を選択するようにしている。
【００１２】
このような本発明によれば、ループ状に構成されている高速伝送可能な線路からなるネットワークを、伝送帯域に余裕のあるネットワークとしたので、ネットワーク上に右回りおよび／あるいは左回りの経路で多重化伝送路を伝送することが可能となる。このため、線路に障害が発生した場合には、障害の発生した経路を迂回するように右回りあるいは左回りの経路に切り換えることにより、障害の発生した線路を使用することなく多重化伝送路を伝送できるようになる。従って、線路に障害が発生しても基地局とネットワークセンタとの通信を確保することができるようになる。また、ネットワーク上に右回りおよび左回りで多重化伝送路を伝送することができ、伝送路毎に良好な伝送状態の伝送路を選択することができるようになる。この場合に、線路に障害が発生した場合は、右回りあるいは左回りで障害の影響を受けずに伝送されてきた伝送路を選択することにより、線路の障害を回避することができるようになる。
【００１３】
【発明の実施の形態】
本発明の実施の形態にかかるネットワークの概略構成を図１に示す。
図１に示すように、高速伝送速度で伝送可能な光ファイバ１０からなる線路をループ状に構成することにより本発明のネットワークが構成されている。光ファイバ１０によりループ状に構成されているネットワークには、基地局ＢＳ１、基地局ＢＳ２、基地局ＢＳ３、基地局ＢＳ４、基地局ＢＳ５、基地局ＢＳ６、基地局ＢＳ７、基地局ＢＳ８が収容されている。また、ネットワークの通信制御を行うネットワークセンタ２が、光ファイバ１０によりループ状に構成されているネットワークに挿入されている。なお、基地局ＢＳ１〜基地局ＢＳ８は、後述するネットワーク装置を介して光ファイバ１０の間に挿入されている。
【００１４】
次に、本発明の実施の形態にかかるネットワークの具体的な構成を図２に示す。ただし、図２においては基地局４，基地局６，基地局８がネットワークに接続されている例が示されている。
ネットワークセンタ２とネットワーク装置７とは、２芯の光ファイバ１０により接続されており、この光ファイバ１０により右回りの経路１と左回りの経路８を構成可能とされている。同様に、ネットワーク装置７とネットワーク装置５とは、右回りの経路２と左回りの経路７を構成可能な光ファイバ１０により接続されており、ネットワーク装置５とネットワーク装置３とは、右回りの経路３と左回りの経路６を構成可能な光ファイバ１０により接続されている。さらに、ネットワーク装置３とネットワークセンタ２とは、右回りの経路４と左回りの経路５を構成可能な光ファイバ１０により接続されている。このように、図２に示すループ状のネットワークにおいては、光ファイバ１０により右回りの経路１と左回りの経路８を構成することができる。
【００１５】
ネットワークセンタ２は、電話局の交換機１に接続されており、ネットワークから受けた信号を所定のインタフェースで交換機１に送り、交換機１から受けた信号をネットワークに必要な伝送速度の多重化伝送路としてループ状に接続された光ファイバ１０からなるネットワーク上に送り出している。ネットワーク装置３には基地局４が２芯の光ファイバ１１により接続されており、同様に、ネットワーク装置５には基地局６が光ファイバ１１により接続されており、ネットワーク装置７には基地局８が光ファイバ１１により接続されている。基地局４，６，８は、ネットワーク装置３，５，７により抽出された基地局４，６，８宛の信号を、ネットワーク装置３，５，７から受け、それぞれに在圏する移動局への下り信号を、移動局に向けて送信している。
【００１６】
また、移動局が送信した上り信号はそれぞれに在圏する基地局４，６，８が受信する。そして、基地局４，６，８からの上り信号は、光ファイバ１１を介してネットワーク装置３，５，７がそれぞれ受けている。ネットワーク装置３，５，７では、この上り信号を多重化伝送路に多重して光ファイバ１０上へ送出している。この上り信号の多重化伝送路はネットワークセンタ２に送られ、ネットワークセンタ２は上り信号の伝送路を交換機１へ送出する。交換機１は、他のネットワークが接続されている他の交換機に接続されており、これにより移動通信網が構成されている。
【００１７】
なお、ここでいう伝送路とは所定の帯域、例えば１．５Ｍｂｐｓの伝送路を意味しており、この伝送路には複数の通信チャネルが含まれている。この伝送路は、ネットワーク装置３，５，７毎にあらかじめ異なる伝送路が割り当てられている。また、ネットワーク装置３，５，７毎に割り当てられている伝送路は、右回りの経路の伝送路と左回りの経路の伝送路とでは異なる伝送路番号の伝送路が割り当てられている。例えば、図５に示すように光ファイバ１０における多重化伝送路が、伝送路１，伝送路２，・・・，伝送路ｎのｎ伝送路であった場合に、ネットワーク装置３に右回りは伝送路１、左回りは伝送路（ｎ−２）を割り当て、ネットワーク装置５に右回りは伝送路２、左回りは伝送路（ｎ−１）を割り当て、ネットワーク装置７に右回りは伝送路３、左回りは伝送路ｎを割り当てることができる。また、伝送路１〜伝送路ｎは、図５に示すようにチャネル１〜チャネルｍのｍチャネルから構成されている。なお、ＡＴＭインタフェースの場合には、割り当てられる伝送路をＶＰ（仮想パス）やＶＣ（仮想チャネル）単位の伝送路とすることができる。なお、光ファイバ１０の伝送速度は、ネットワーク上の複数のネットワーク装置に、それぞれ左回りの伝送路および右回りの伝送路を割り当てることができる余裕のある伝送速度とされている。
【００１８】
このような本発明にかかるネットワークにおける第１の伝送形態を、上述したように伝送路がネットワーク装置３，５，７に割り当てられたものとして、以下に説明する。第１の伝送形態では、ネットワーク装置３，５，７は右回りあるいは左回りのいずれかの経路により多重化伝送路をネットワークセンタ２に伝送している。例えば、ネットワーク装置５およびネットワーク装置３は、経路３および経路４による右回りの経路により、それぞれ割り当てられている伝送路１，伝送路２を多重した多重化伝送路をネットワークセンタ２に伝送するようにされ、ネットワーク装置７は経路８による左回りの経路により、割り当てられている伝送路ｎを多重した多重化伝送路をネットワークセンタ２に伝送するようにされている。そして、ネットワークセンタ２はネットワーク装置３，５，７へ、右回りおよび左回りの経路で下りの多重化伝送路を伝送している。
【００１９】
この第１の伝送形態においては、ネットワーク装置５とネットワーク装置７との間の線路を使用することなくネットワーク装置３，５，７とネットワークセンタ２との通信を行うことができる。したがって、ネットワーク装置５とネットワーク装置７との間の光ファイバ１０に障害が生じた場合でも、ネットワーク装置３，５，７とネットワークセンタ２との通信経路を確保することができる。また、ネットワーク装置３とネットワーク装置５との間の光ファイバ１０に障害が生じた際には、ネットワーク装置５が経路３から経路７に切り換えて割り当てられている伝送路（ｎ−１）を多重した多重化伝送路を左回りで送るようにすることにより、ネットワーク装置３，５，７とネットワークセンタ２との経路を確保することができる。
【００２０】
また、本発明にかかるネットワークの第２の伝送形態を、上述したように伝送路が割り当てられたものとして、以下に説明する。第２の伝送形態では、ネットワーク装置３，５，７が右回りの経路で割り当てられている伝送路１，２，３を多重した多重化伝送路をネットワークセンタ２に伝送すると共に、左回りの経路で割り当てられている伝送路（ｎ−２），（ｎ−１），ｎを多重した多重化伝送路をネットワークセンタ２に伝送している。ただし、ネットワーク装置３，５，７における右回りと左回りの経路で伝送する伝送路の上り信号内容は共通とされている。そして、ネットワークセンタ２は右回りおよび左回りで送られてきた多重化伝送路において、共通とされている左回りと右回りとの伝送路の内の伝送状態の良好な伝送路を伝送路毎に選択するようにする。この場合、ネットワークセンタ２もネットワーク向けの多重化伝送路を、右回りおよび左回りの経路で送出している。
【００２１】
この第２の伝送形態では、例えば、ネットワーク装置５とネットワーク装置７との間の光ファイバ１０に障害が生じた際には、ネットワークセンタ２はネットワーク装置７から経路８による左回りの経路で送られてきた伝送路ｎが多重された多重化伝送路を受信することができると共に、ネットワーク装置３，５から経路３，４による右回りの経路で送られてきた伝送路１，２が多重された多重化伝送路を受信することができる。また、ネットワーク装置３とネットワーク装置５との間の光ファイバ１０に障害が生じた際には、ネットワークセンタ２はネットワーク装置５，７から経路７，８による左回りの経路で送られてきた伝送路（ｎ−１），ｎが多重された多重化伝送路を受信することができると共に、ネットワーク装置３から経路４による右回りの経路で送られてきた伝送路１が多重された多重化伝送路を受信することができる。このように、障害時においてもネットワーク装置３，５，７とネットワークセンタ２との経路を確保することができる。
【００２２】
次に、本発明にかかるネットワークセンタ２の詳細構成を図３に示す。
ネットワークセンタ２は、光ファイバ１０から受けた左回り経路の多重化伝送路の光信号を光受発光素子２ａで受けて電気信号に変換し、第１選択部２ｃに出力している。また、光ファイバ１０から受けた右回り経路の多重化伝送路の光信号は、光受発光素子２ｂにより電気信号に変換されて、第１選択部２ｄに出力されている。以下、図５に示す伝送路が上述したようにネットワーク装置３，５，７に割り当てられているものとして説明する。第１の伝送形態では、第１選択部２ｃ，２ｄにおいて、高速（１５５Ｍｂｐｓ／６００Ｍｂｐｓ）の多重化伝送路に多重されている複数の伝送路をそれぞれ抽出して、抽出した例えば、１．５ＭｂｐｓあるいはＶＰ／ＶＣ単位の複数の伝送路をそれぞれ遅延補正部２ｅに出力している。遅延補正部２ｅでは、左回りと右回りの経路長の差に基づく多重化伝送路の遅延時間を補正して、左回りと右回りの経路で送られてきた伝送路のタイミングを揃えてスイッチ部２ｆに出力している。
【００２３】
スイッチ部２ｆでは、遅延補正部２ｅから供給された複数の伝送路の内の有効な伝送路を選択して第２選択部２ｈに出力している。この場合の、有効な伝送路とは有意の信号が含まれている伝送路を意味している。すなわち、ネットワーク装置３，５，７においては、伝送すべき信号がない場合には、有意の信号がないことを示す例えばゼロの信号が連続する伝送路を送出している。第２選択部２ｈでは、例えば、１．５ＭｂｐｓあるいはＶＰ／ＶＣ単位の伝送路を、交換機１との間のインタフェースに合わせるように多重して、必要な回線だけを光受発光素子２ｉに出力している。光受発光素子２ｉは、供給された多重化伝送路を光信号に変換して交換機１との間の光ファイバ上に送出している。また、制御部２ｇはネットワーク内のすべての機器の監視・制御を行っており、制御部２ｇは線路のいずれかが断となった場合に、ネットワークセンタ２とネットワーク装置３とのループバック試験、ネットワークセンタ２とネットワーク装置５とのループバック試験、ネットワークセンタ２とネットワーク装置７とのループバック試験を順次行うことにより、線路が断とされた区間を検出している。そして、この検出結果に基づいてスイッチ部２ｆにおいて選択される伝送路を制御している。
【００２４】
また、第２の伝送形態とされている場合には、スイッチ部２ｆにおいて第１選択部２ｃにおいて抽出された伝送路１と、第１選択部２ｄにおいて抽出された伝送路（ｎ−２）との伝送状態の対比を行い、良好な伝送状態の伝送路を選択している。同様に、伝送路２と伝送路（ｎ−１）、伝送路３と伝送路ｎとの対比を行い、良好な伝送状態の伝送路を選択している。そして、制御部２ｇは線路のいずれかが断となった場合に、前述の通りループバック試験を行うことにより、線路が断とされた区間を検出し、その検出結果に基づいてスイッチ部２ｆにおいて選択される伝送路を制御している。
【００２５】
次に、本発明にかかるネットワーク装置３，５，７の詳細構成を図４に示す。ネットワーク装置３，５，７は同一の構成とされており、光受発光素子ａ−１は右回りで伝送されてきた多重化伝送路を光信号に変換して光ファイバ１０に送出していると共に、左回りで伝送されてきた多重化伝送路の光信号を電気信号に変換して第１選択部ｂ−１に出力している。また、光受発光素子ａ−２は左回りで伝送する多重化伝送路を光信号に変換して光ファイバ１０に送出していると共に、右回りで伝送する多重化伝送路の光信号を電気信号に変換して第１選択部ｂ−２に出力している。以下、図５に示す伝送路が上述したようにネットワーク装置３，５，７に割り当てられているものとして説明する。第１選択部ｂ−１，ｂ−２において、高速（１５５Ｍｂｐｓ／６００Ｍｂｐｓ）の多重化伝送路に多重されている複数の伝送路の内の当該ネットワーク装置に割り当てられている伝送路が抽出されて、抽出した例えば、１．５ＭｂｐｓあるいはＶＰ／ＶＣ単位の伝送路をそれぞれスイッチ部ｃに出力している。
【００２６】
スイッチ部ｃでは、第１選択部ｂ−１，ｂ−２から供給された伝送路のいずれか有効な伝送路を選択して第２選択部ｄに出力している。この場合の、有効な伝送路とは、第１の伝送形態においては有意の下り信号が含まれている伝送路となり、第２の伝送形態においては伝送状態の良好な伝送路とされる。第２選択部ｄでは、例えば、１．５ＭｂｐｓあるいはＶＰ／ＶＣ単位の伝送路を、基地局４，６，８との間のインタフェースに合わせるように多重して、必要な回線だけを光受発光素子ａ−３に出力している。光受発光素子ａ−３は、供給された多重化伝送路を光信号に変換して光ファイバ１１上に送出している。
【００２７】
また、基地局４，６，８から送出された多重化伝送路の上りの光信号は、光受発光素子ａ−３により電気信号に変換されて第２選択部ｄに出力され、第２選択部ｄにおいて１．５ＭｂｐｓあるいはＶＰ／ＶＣ単位の伝送路とされる。この伝送路はスイッチ部ｃに供給され、第１の伝送形態の場合は設定されている経路に応じて、第１選択部ｂ−１あるいは第１選択部ｂ−２に出力される。すなわち、右回りの経路が設定されている場合は第１選択部ｂ−１に出力され、左回りの経路が設定されている場合は第１選択部ｂ−２に出力される。伝送路が供給された第１選択部ｂ−１あるいは第１選択部ｂ−２においては、供給された伝送路を多重化伝送路に多重して出力する。例えば、ネットワーク装置３の場合は、伝送路１｛伝送路（ｎ−２）｝が第１選択部ｂ−２（第１選択部ｂ−１）で多重分離された伝送路２，３｛伝送路（ｎ−１），ｎ｝と共に、第１選択部ｂ−１（第１選択部ｂ−２）で多重されて多重化伝送路とされる。第１選択部ｂ−１あるいは第１選択部ｂ−２から出力された多重化伝送路が供給された光受発光素子ａ−１あるいは光受発光素子ａ−２は多重化伝送路を光信号に変換して右回りあるいは左回りの経路の光ファイバ１０に送出する。
【００２８】
また、第２の伝送形態の場合はスイッチ部ｃから出力された伝送路が、第１選択部ｂ−１および第１選択部ｂ−２に出力される。そして、伝送路が供給された第１選択部ｂ−１および第１選択部ｂ−２において、多重化伝送路に多重して出力する。例えば、ネットワーク装置３の場合は、第１選択部ｂ−２で多重分離された伝送路２，３と共に、伝送路１が第１選択部ｂ−１で多重されて多重化伝送路とされ、第１選択部ｂ−１で多重分離された伝送路（ｎ−１），ｎと共に、伝送路（ｎ−２）が第１選択部ｂ−２で多重されて多重化伝送路とされることになる。第１選択部ｂ−１および第１選択部ｂ−２から出力された多重化伝送路が供給された光受発光素子ａ−１および光受発光素子ａ−２は多重化伝送路を光信号に変換して右回りあるいは左回りの経路の光ファイバ１０にそれぞれ送出する。
【００２９】
さらに、制御部ｅは光受発光素子ａ−１，ａ−２で受光された多重化伝送路の監視を行っており、第１の伝送形態においては制御部ｅは今まで受光されていた多重化伝送路が検出されなくなった際に、光受発光素子ａ−１，ａ−２が接続されている線路が断になったと検出している。そして、この検出結果に基づいてスイッチ部ｃの選択を逆になるように切り換えて、今まで右回り（左回り）ならば左回り（右回り）の経路が選択されるようにしている。
【００３０】
以上説明した本発明のネットワークにおいては、ループ状に構成された光ファイバ１０には任意の数のネットワーク装置を挿入することができる。また、光ファイバ１０の伝送速度は、１５５Ｍｂｐｓ／６００Ｍｂｐｓに限らず、ネットワーク上のすべてのネットワーク装置に左回りと右回りの伝送路を割り当てることが可能な任意の伝送速度とすることができる。
また、以上の説明では光ファイバ１０および光ファイバ１１は２芯として説明したが、１芯としてもよい。この場合、左回りの経路と右回りの経路との波長、および、上りと下りとの波長を変更するようにしてもよい。さらに、光ファイバ１１に替えてメタル線路を使用するようにしてもよい。
【００３１】
ところで、本発明にかかるネットワークは、図１や図２に示すネットワークを単位ネットワークとして複数の単位ネットワークからなる大きな規模のネットワークを構築することができる。この場合、単位ネットワークにおけるネットワークセンタ２が相互に接続されることになる。したがって、ネットワークの規模をさらに大きくしたい場合には、新たな単位ネットワークを増設し、その単位ネットワークにおけるネットワークセンタ２を既設の単位ネットワークのネットワークセンタ２に接続することにより、容易にネットワークの規模を大きくすることができるようになる。
【００３２】
【発明の効果】
以上説明したように、ループ状に構成されている高速伝送可能な線路からなるネットワークを、伝送帯域に余裕のあるネットワークとしたので、ネットワーク上に右回りおよび／あるいは左回りの経路で多重化伝送路を伝送することが可能となる。このため、線路に障害が発生した場合には、障害の発生した経路を迂回するように右回りあるいは左回りの経路に切り換えることにより、障害の発生した線路を使用することなく多重化伝送路を伝送できるようになる。従って、線路に障害が発生しても基地局とネットワークセンタとの通信を確保することができるようになる。また、ネットワーク上に右回りおよび左回りで多重化伝送路を伝送することができ、伝送路毎に良好な伝送状態の伝送路を選択することができるようになる。この場合に、線路に障害が発生した場合は、右回りあるいは左回りで障害の影響を受けずに伝送されてきた伝送路を選択することにより、線路の障害を回避することができるようになる。
【図面の簡単な説明】
【図１】本発明の実施の形態にかかるネットワークの概略構成を示す図である。
【図２】本発明の実施の形態にかかるネットワークの具体的な構成を示す図である。
【図３】本発明にかかるネットワークの実施の形態にかかるネットワークセンタの構成を示す図である。
【図４】本発明にかかるネットワークの実施の形態にかかるネットワーク装置の構成を示す図である。
【図５】本発明の実施の形態にかかるネットワークにおける多重化伝送路の構成を示す図である。
【図６】従来のネットワークの構成を示す図である。
【符号の説明】
１  交換機、２  ネットワークセンタ、２ａ  光受発光素子、２ｂ  光受発光素子、２ｃ  第１選択部、２ｄ  第１選択部、２ｅ  遅延補正部、２ｆ  スイッチ部、２ｇ  制御部、２ｈ  第２選択部、２ｉ  光受発光素子、３  ネットワーク装置、４  基地局、５  ネットワーク装置、６  基地局、７  ネットワーク装置、８  基地局、１０  光ファイバ、１１  光ファイバ、１０１  ネットワークセンタ、１０２  電話局、１０３  電話局、１０４  電話局、１０５  電話局、１０６  電話局、ａ−１，ａ−２，ａ−３  光受発光素子、ｂ−１，ｂ−２  選択部、ｃ  スイッチ部、ｄ  選択部、ｅ  制御部
【図１】
0003717460.tif 000002
【図２】
0003717460.tif 000003
【図３】
0003717460.tif 000004
【図４】
0003717460.tif 000005
【図５】
0003717460.tif 000006
【図６】
0003717460.tif 000007